(57)【特許請求の範囲】
【請求項１】
床面に立設させる矩形の防水板と、
前記防水板の横幅方向の端部が差し込まれる縦ガイド溝と、
前記縦ガイド溝内に固定される少なくとも一つのロック機構と、
を有する防水装置であって、
前記ロック機構は、
前記防水板の移動時に位置する退避位置と、
前記防水板の設置完了後に前記防水板の上方に位置する規制位置の、二位置に切替可能に構成され、
前記防水板の下部には弾性部材からなる止水材が設けられ、
前記止水材の圧縮の際に前記ロック機構によるロック状態が解除される、
防水装置。
【請求項２】
床面に立設させる矩形の防水板と、
前記防水板の横幅方向の端部が差し込まれる縦ガイド溝と、
前記縦ガイド溝内に固定される少なくとも一つのロック機構と、
を有する防水装置であって、
前記ロック機構は、
前記防水板の移動時に位置する退避位置と、
前記防水板の設置完了後に前記防水板の上方に位置する規制位置の、二位置に切替可能に構成され、
前記防水板には前記ロック機構に係合するための上方に突出する被係合部位を有し、
前記ロック機構は、前記被係合部位に横方向から当接するための係合部位を有する、
防水装置。
【請求項３】
床面に立設させる矩形の防水板と、
前記防水板の横幅方向の端部が差し込まれる縦ガイド溝と、
前記縦ガイド溝内に固定される少なくとも一つのロック機構と、
を有する防水装置であって、
前記ロック機構は、
前記防水板の移動時に位置する退避位置と、
前記防水板の設置完了後に前記防水板の上方に位置する規制位置の、二位置に切替可能に構成され、
前記防水板の下部には弾性部材からなる止水材が設けられ、
前記止水材の圧縮の際に前記ロック機構によるロック状態が解除され、
前記防水板には前記ロック機構に係合するための上方に突出する被係合部位を有し、
前記ロック機構は、前記被係合部位に横方向から当接するための係合部位を有する、
防水装置。
【発明の詳細な説明】
【技術分野】
【０００１】
本発明は、建物の出入口や、地下施設への地上出入口などに設置され、豪雨時の雨水などの浸入を堰き止めるための防水装置に関する。
【背景技術】
【０００２】
従来、豪雨発生時などにおいて雨水が出入口内に浸入することを防止するための防水板（止水板とも称される）を備える防水装置が知られており、例えば、特許文献１に開示されるように、対向する一組のレール（側柱）の間に防水板を上から差し込んで立設させる構成とする防水装置が知られている。
【０００３】
特許文献１に開示される構成では、圧迫装置により防水板の上端部を上から押さえ付ける構成としており、圧迫装置は基礎台座を介してレール（側柱）の上端部に固定される構成としている。
【先行技術文献】
【特許文献】
【０００４】
【特許文献１】特許第５３２２２４１号明細書
【発明の概要】
【発明が解決しようとする課題】
【０００５】
防水板を一組のレールの間に上から差し込んで使用する防水装置は、豪雨発生時などの必要が生じた時にのみ利用することが想定されるものである。このため、利用時の頻度については予測できるものではなく、その設置作業に慣れるための機会も得られ難いものといえる。このような観点から、いざ設置作業が必要な際には、誰もが容易に設置できるような構成とすることが好ましい。
【０００６】
加えて、近年、いわゆるゲリラ豪雨と呼ばれている局地的な集中豪雨の発生回数が増加しており、極めて短時間で道路が冠水し水位が上昇することが多発しており、以前にもましてより短時間で容易に防水板を設置できることが求められている。
【０００７】
以上のことを考慮すると、引用文献１のようなレールとは別部材の圧迫装置や基礎台座を装着する構成では、事前に適切な取扱方法を知っておく必要があり、また、作業手間を要することから、誰もが容易かつ短時間で設置を完了することが課題である。また、複数の部品を組み合わせて使用する構成では、部品が紛失しないように注意が必要となり、さらには、保管場所の確保などの問題も派生することになる。
【０００８】
他方、ゲリラ豪雨や大雨の事前の対策として、例えば、降水予想時間の数時間、数十時間前から防水板を設置することが行われている。また、出張や旅行などで家を留守にする場合において、留守期間中の大雨予想を踏まえて、防水板を設置したまま数日放置するといったことも考えられる。
【０００９】
このように、防水板が放置されたような場合には、防水板自体の盗難のリスクが生じることになる。このため、防水板が容易に盗難されないような構成を実現する必要がある。
【００１０】
そこで、本発明は、以上の問題点に鑑み、防水板の設置作業が容易であり、かつ、設置完了後は容易に盗難がされることを防止することができる、新規な構成の防水装置を提案するものである。
【課題を解決するための手段】
【００１１】
本発明の解決しようとする課題は以上のごとくであり、次にこの課題を解決するための手段を説明する。
【００１２】
即ち、請求項１に記載のごとく、
床面に立設させる矩形の防水板と、
前記防水板の横幅方向の端部が差し込まれる縦ガイド溝と、
前記縦ガイド溝内に固定される少なくとも一つのロック機構と、
を有する防水装置であって、
前記ロック機構は、
前記防水板の移動時に位置する退避位置と、
前記防水板の設置完了後に前記防水板の上方に位置する規制位置の、二位置に切替可能に構成され、
前記防水板の下部には弾性部材からなる止水材が設けられ、
前記止水材の圧縮の際に前記ロック機構によるロック状態が解除される、こととする。
【００１３】
また、請求項２に記載のごとく、
床面に立設させる矩形の防水板と、
前記防水板の横幅方向の端部が差し込まれる縦ガイド溝と、
前記縦ガイド溝内に固定される少なくとも一つのロック機構と、
を有する防水装置であって、
前記ロック機構は、
前記防水板の移動時に位置する退避位置と、
前記防水板の設置完了後に前記防水板の上方に位置する規制位置の、二位置に切替可能に構成され、
前記防水板には前記ロック機構に係合するための上方に突出する被係合部位を有し、
前記ロック機構は、前記被係合部位に横方向から当接するための係合部位を有する、
こととする。
【００１４】
また、請求項３に記載のごとく、
床面に立設させる矩形の防水板と、
前記防水板の横幅方向の端部が差し込まれる縦ガイド溝と、
前記縦ガイド溝内に固定される少なくとも一つのロック機構と、
を有する防水装置であって、
前記ロック機構は、
前記防水板の移動時に位置する退避位置と、
前記防水板の設置完了後に前記防水板の上方に位置する規制位置の、二位置に切替可能に構成され、
前記防水板の下部には弾性部材からなる止水材が設けられ、
前記止水材の圧縮の際に前記ロック機構によるロック状態が解除され、
前記防水板には前記ロック機構に係合するための上方に突出する被係合部位を有し、
前記ロック機構は、前記被係合部位に横方向から当接するための係合部位を有する、こととする。
【発明の効果】
【００１５】
本発明の効果として、以下に示すような効果を奏する。
【００１６】
即ち、請求項１に記載の発明においては、防水板の設置を容易に行えるとともに、防水板の設置が完了した際にはロック機構によるロックが自動的に完了し、防水板を容易に引き抜くことができなくなり、防水板の盗難リスクを低減できる。また、止水材による高い止水性が確保でき、また、防水板を押し下げるという簡易な操作でロックを解除することができる。
【００１７】
また、請求項２に記載の発明においては、防水板の設置を容易に行えるとともに、防水板の設置が完了した際にはロック機構によるロックが自動的に完了し、防水板を容易に引き抜くことができなくなり、防水板の盗難リスクを低減できる。また、防水板の横方向のズレが規制され、横方向に防水板がずらされて引き抜かれることも防止できる。
【００１８】
また、請求項３に記載の発明においては、防水板の設置を容易に行えるとともに、防水板の設置が完了した際にはロック機構によるロックが自動的に完了し、防水板を容易に引き抜くことができなくなり、防水板の盗難リスクを低減できる。また、止水材による高い止水性が確保でき、また、防水板を押し下げるという簡易な操作でロックを解除することができる。また、防水板の横方向のズレが規制され、横方向に防水板がずらされて引き抜かれることも防止できる。
【図面の簡単な説明】
【００１９】
【図１】（Ａ）は防水板をセットする状態について示す図。（Ｂ）は防水装置の設置が完了した状態について示す図。
【図２】（Ａ）は防水板を下降させる際にロック機構の係合部位が押し下げられる状態について説明する図。（Ｂ）は係合部位の押し下げが開放された状態について説明する図。（Ｃ）は防水板の止水材が床面に接地した状態を説明する図。（Ｄ）は防水板を更に下方に押し下げ止水材を押し潰し、係合部材がロック機構をかわした状態にあることを説明する図。（Ｅ）は押し潰された止水材の持つ復元力によって防水板が上方に持ち上がり、係合部材がロック機構にロックされた状態を説明する図。
【図３】ロック機構の構造について示す平面図。
【図４】防水板の下部の構成について示す側面断面図。（Ｂ）は防水板を設置したときの防水板の下部の様子について示す側面断面図。
【図５】（Ａ）はロック機構によるロックの解除について説明する図。（Ｂ）はロック解除の際の防水板の下部の止水材の様子について説明する図。
【図６】（Ａ）は係合部とロック機構の他の実施例について説明する図。（Ｂ）はロック機構の他の実施例について説明する図。
【発明を実施するための形態】
【００２０】
以下、本発明の実施形態を図面に基づいて説明する。
図１（Ａ）は防水板１Ａ，１Ｂ，１Ｃをセットする状態について示す図であり、図１（Ｂ）は防水装置２の設置が完了した状態について示す図である。なお、以下の説明では、便宜のため、図１（Ａ）における矢印Ｘ方向を横方向、或いは、防水板１Ａ，１Ｂ，１Ｃの横幅方向とし、図３（Ａ）における矢印Ｄ方向を屋内外方向とする。
【００２１】
本実施例の防水装置２は、出入口２０に対向して立設される一対のガイドレール５０Ｒ，５０Ｌと、ガイドレール５０Ｒ，５０Ｌの間に順次上から差し込まれる複数の防水板１Ａ，１Ｂ，１Ｃと、を備えている。ガイドレール５０Ｒ，５０Ｌは出入口を形成する壁の見込み面に付設されるほか、壁に埋め込まれるものであってもよく、また、壁そのものに溝を形成して構成されるものであってもよい。
【００２２】
図１（Ａ）に示すように、各防水板１Ａ，１Ｂ，１Ｃは互いに嵌合／分離可能であり、コンパクトに倉庫内などに保管することができ、また、使用時及び撤去時における運搬作業も容易にできる。なお、本実施例の防水板１Ａ，１Ｂ，１Ｃは互いに嵌合／分離可能であるが、一枚の板体にて構成されることとしてもよい。
【００２３】
図１（Ａ）に示すように、防水板１Ａ，１Ｂ，１Ｃの横幅方向（図１（Ａ）紙面左右方向（矢印Ｘ方向））の両側端部は、ガイドレール５０Ｒ，５０Ｌの縦ガイド溝５２ａ，５２ａに飲み込まれ、防水板１Ａ，１Ｂ，１Ｃが上下移動する際には縦ガイド溝５２ａ，５２ａによってガイドされる。
【００２４】
また、図１（Ａ）に示すように、防水板１Ａ，１Ｂ，１Ｃにおいて、この縦ガイド溝に飲み込まれる部位には、帯状のパッキン材６Ｒ，６Ｌが上下方向に設けられており、このパッキン材６Ｒ，６Ｌによりガイドレール５０Ｒ，５０Ｌと防水板１Ａ，１Ｂ，１Ｃの間の隙間が埋められて、防水板１Ａ，１Ｂ，１Ｃの左右端部における止水性が確保される。
【００２５】
次に、図１（Ａ）に示すように、ガイドレール５０Ｒ，５０Ｌにそれぞれ設けられ、防水板１Ｃの引き抜きを防止するためのロック機構４Ｒ，４Ｌについて説明する。なお、ガイドレール５０Ｒ，５０Ｌにそれぞれ設けられるロック機構４Ｒ，４Ｌは同一の構成であり、以下では、ガイドレール５０Ｒ側のロック機構４Ｒを用いて説明する。また、ロック機構は、ガイドレール５０Ｒ，５０Ｌのいずれか一方に設けられる構成としてもよい。また、ロック機構は、ガイドレール５０Ｒ，５０Ｌが設置される箇所の壁面など、ガイドレール５０Ｒ，５０Ｌ以外の部位に設けられることとしてもよい。
【００２６】
図２（Ａ）は防水板を下降させる際にロック機構４Ｒの係合部位４３が押し下げられる状態について説明する図であり、図２（Ｂ）は係合部位４３の押し下げが開放された状態について説明する図であり、図２（Ｃ）は防水板の止水材が床面に接地した状態を説明する図であり、図２（Ｄ）は防水板を更に下方に押し下げ止水材を押し潰し（Ｆ１）、係合部材がロック機構をかわした状態にあることを説明する図であり（止水ゴムの押し潰し状況については別途図４（Ｂ）に示す）、図２（Ｅ）は押し潰された止水材の持つ復元力（Ｆ２）によって防水板が上方に持ち上がり、係合部材がロック機構にロックされた状態を説明する図であり、図３はロック機構４Ｒの構造について示す平面図である。
【００２７】
図２（Ａ）及び図３に示すように、ガイドレール５０Ｒは、断面略コ字状の溝部５１ａを有する長尺の外枠部材５１と、外枠部材５１の溝部５１ａに差し込まれるレール部材５２とを有して構成される。
【００２８】
レール部材５２には縦ガイド溝５２ａが形成されており、この縦ガイド溝５２ａには防水板１Ｃの横幅方向の端部が飲み込まれる。
【００２９】
この縦ガイド溝５２ａは、防水板１Ｃ側に開口する断面視コ字状の溝であり、屋外側の屋外側見付面部５２ｄと、屋内側の屋内側見付面部５２ｅと、屋外側見付面部５２ｄと屋内側見付面部５２ｅの端部を結ぶ溝底部５２ｆとを有して構成される。
【００３０】
また、レール部材５２の外部に現れる部位には、縦ガイド溝５２ａの両側となる位置において、それぞれ屋外側の屋外側見込面部５２ｂと、屋内側の屋内側見込面部５２ｃが形成されている。
【００３１】
縦ガイド溝５２ａの溝内には、ロック機構４Ｒが収められている。図２（Ａ）に示すように、本実施例のロック機構４Ｒは、バネ板部材にて構成されており、溝底部５２ｆに対して固定される固定片部４１と、固定片部４１の下端部から下方に伸びる操作片部４２と、操作片部４２の固定片部４１と反対側の端部から溝底部５２ｆと反対方向に斜め下方に伸びる係合部位４３と、を有して構成される。なお、本実施例では、固定片部４１を溝底部５２ｆに固定することとし、操作片部４２より鉛直上方に向かって配置しているが、操作片部４２より鉛直下方に向かって配置してもよい。つまり、逆Ｕ字状のロック機構とするものであり、これによれば、固定片部４１を溝底部５２ｆに留め付けるためのビスなどを操作片部４２や、防水板１Ｃの裏側に隠すことができる。また、図３に示される屋外側見込面部５２ｂ、或いは、屋内側見込面部５２ｃに固定されることとしてもよい。固定片部４１の固定の方法については、特に限定するものではない。
【００３２】
また、図２（Ａ）に示すように、防水板１Ｃの上側角部１ｕには、ロック部材４０と係合するための係合部１０が設けられている。本実施例では、防水板１Ｃの上面１ｍに固定される固定部１１ａと、固定部１１ａから上方に突出する被係合部位１１ｂを有する正面視Ｌ字状の係合部材１１により、係合部１０が構成されている。
【００３３】
以上の構成において、図２（Ａ）に示すように、防水板１Ｃがガイドレール５０Ｒに差し込まれる際には、防水板１Ｃの下側角部１ｄが操作片部４２を上から押し下げることでロック機構４Ｒが撓んで図２（Ｂ）に示される退避位置に位置し、防水板１Ｃの下方への移動が許容される。
【００３４】
そして、図２（Ｂ）に示すように、防水板１Ｃが下方に移動する間、操作片部４２は防水板１Ｃの側面１ｈによって押さえ続けられ、その後、図４（Ｂ）に示すように最下部の防水板１Ａの下部の止水材６０が床面に到達すると、図２（Ｃ）に示すように、最上部の防水板１Ｃにおいて、係合部１０の側方にロック機構４Ｒが位置する状態となる。
【００３５】
この状態で、図２（Ｄ）に示すように、防水板１Ｃを更に押し下げる強い力Ｆ１を加えると、図５（Ｂ）に示すように止水材６０が圧縮することで、図２（Ｄ）に示すように、係合部１０が下方へと移動してロック機構４Ｒをかわした状態となる。この際、撓んでいたロック機構４Ｒはその弾性力によって復元し、係合部位４３が元の位置に復帰して、規制位置に位置することになる。
【００３６】
そして、図２（Ｄ）に示すように、下方へ押し下げていた防水板１Ｃから手を離すなどして力Ｆ１を解放すると、図５（Ｂ）に示されるように圧縮された止水材６０に生じる復元力Ｆ２によって最下部の防水板１Ａが押し上げられ、これとともに、図２（Ｅ）に示すように最上部の防水板１Ｃが上方へと移動して、被係合部位１１ｂがロック機構４Ｒを下から突き上げつつ、被係合部位１１ｂに係合部位４３が乗りかかった状態となる。
【００３７】
このようにして、係合部１０がロック機構４Ｒに係合された状態となり、防水板１Ｃを上方に引き上げようとした際には、この引き上げがロック機構４Ｒによって規制されることになる。
【００３８】
そして、ロック機構４Ｒにより防水板１Ｃの引き上げが規制されることにより、詳しくは後述するロック解除の方法を知らない者は、防水板１Ｃを容易に引き抜くことができなくなり、防水板１Ｃの盗難リスクを低減できる。
【００３９】
また、図２（Ｅ）に示すように、防水板１Ｃから上方に立ち上げた被係合部位１１ｂの側方に係合部位４３が配置される構成とすることで、防水板１Ｃの横方向のズレが規制され、横方向に防水板１Ｃがずらされて引き抜かれることも防止できる。
【００４０】
なお、盗難のリスクを更に低減させるために、係合部１０とロック機構４Ｒを南京錠などの他のロック機構によりロックする構成としてもよい。例えば、係合部１０の係合部位４３とロック機構４Ｒの被係合部位１１ｂにそれぞれ貫通孔を形成し、当該貫通孔に南京錠のロック棒を通過させる構成などが考えられる。このように、本実施例のロック機構と他のロック機構を組み合わせて多重ロックを実現することとしてもよい。
【００４１】
次に、図４（Ａ）（Ｂ）に示すように、防水板１Ａの下部に設けられる止水機構について説明する。
図４（Ａ）は防水板１Ａの下部の構成について示す側面断面図であり、図４（Ｂ）は防水板１Ａを設置したときの防水板１Ａの下部の様子について示す側面断面図である。
【００４２】
図４（Ａ）に示すように、防水板１Ａの下部には止水材６０が設けられており、図４（Ｂ）に示すように防水板１Ａを設置した状態においては、この止水材６０によって防水板１Ａと床面４７の隙間Ｓが密閉される。
【００４３】
本実施例の止水材６０は、弾性率の大きい第一止水材６１と、第一止水材６１の下に配置され第一止水材６１と比較して弾性率の小さい第二止水材６２と、を有して構成される。これら第一止水材６１、第二止水材６２は、ゴムや樹脂などの弾性体からなる長尺部材にて構成することができ、弾性変形して隙間を埋めることによって高い密閉性を実現するものである。
【００４４】
図１（Ａ）に示すように、止水材６０（第一止水材６１、第二止水材６２）は、防水板１Ａ，１Ｂ，１Ｃの横幅方向（図１紙面左右方向（矢印Ｘ方向））の長さと略同一の長さを有し、その両側端部は、ガイドレール５０Ｒ，５０Ｌの縦ガイド溝に飲み込まれるようになっている。
【００４５】
また、図４（Ａ）（Ｂ）に示すように、第一止水材６１は、中空の角柱状部材にて構成されており、防水板１Ａの下方に形成される角部６５に収められ、第一止水材６１の略下半分の部位が角部６５を構成する突条部２ｃから下方へと突出するように配置されている。角部６５は、防水板１Ａの下面２ｂと、下面２ｂから下方に突設される突条部２ｃとから略Ｌ字状に構成され、防水板１Ａに対する第一止水材６１のズレの発生が抑制され、第一止水材６１の耐用年数を長く確保できる。
【００４６】
第二止水材６２は、中実の角柱状部材にて構成されており、第一止水材６１の下面に接着剤などで接合される。なお、第一止水材６１と第二止水材６２を一体的に成形し、弾性率の異なる二つの部位を備える構成としてもよい。さらに、より数の多い（例えば、三層など）異なる素材からなる止水材（弾性部材）を用いる構成としてもよい。
【００４７】
また、床面４７に直接接触する第二止水材６２については、弾性率の小さいものを採用することにより、床面４７の微細な凹凸に対して柔軟に変形することができ、床面４７との間で高い密着性を呈し、高い止水性を発揮することができる。また、第一止水材６１については、弾性率の大きいものを採用することにより、変形が少なく、上方から第二止水材６２をしっかりと支え、床面４７に対して第二止水材６２を確実に押し付けることができる。
【００４８】
以上の構成において、図１（Ｂ）に示すように全ての防水板１Ａ，１Ｂ，１Ｃがセットされ、防水装置２の設置が完了した状態では、図４（Ｂ）に示すように、最も下部に配置される防水板１Ａと床面４７の間の隙間Ｓが止水材６０によって密閉され、屋外側から屋内側への雨水の浸入を確実に防止できる。
【００４９】
そして、以上のように止水材６０（第一止水材６１、第二止水材６２）を弾性部材で構成するとともに、止水材６０が圧縮した状態で、図２（Ｅ）に示すロック状態とすることによれば、止水材６０の復元しようとする力（復元力）により係合部１０をロック機構４Ｒに突き当てることができ、ロック機構４Ｒにて防水板１Ｃ（係合部１０）を上から押さえ付けることができる。
【００５０】
このように、ロック機構４Ｒにて防水板１Ｃ（係合部１０）を上から押さえ付けることにより、防水板１Ａ，１Ｂ、１Ｃがロック機構４Ｒと床面４７の間で突っ張ることになり、防水板１Ａ，１Ｂ、１Ｃの境界部が密着し、防水板１Ａ，１Ｂ、１Ｃの境界部の止水性を高めることができる。また、防水板１Ｃが上から押さえ付けられることで、防水板１Ｃが上方にズレてしまうことも防止できる。
【００５１】
次に、防水板の取り外しの際の操作について説明する。
図５（Ａ）はロック機構４Ｒによるロックの解除について説明する図、図５（Ｂ）はロック解除の際の防水板の下部の止水材の様子について説明する図である。
【００５２】
図２（Ｅ）に示すように、ロック機構４Ｒによるロック（防水板１Ｃの引き上げ規制）がされている状態において、図５（Ａ）に示すように防水板１Ｃを更に押し下げる強い力Ｆ１を加えると、図５（Ｂ）に示すように、止水材６０（第一止水材６１，第二止水材６２）が更に圧縮されることで、最下部の防水板１Ａが下方にずれる。
【００５３】
このように最下部の防水板１Ａが下方にずれることで、最上部にある防水板１Ｃも下方にずらすことができる。そして、図５（Ａ）に示すように、防水板１Ｃが下方にずらされることで係合部１０の被係合部位１１ｂが下方へずれて、ロック部材４０の係合部位４３との係合状態が解除される。
【００５４】
さらにこの状態でロック機構４Ｒの操作片部４２を下方に指などで押圧して、係合部位４３を被係合部位１１ｂの側方へと移動させる。これにより、ロック機構４Ｒによる係合部１０のロックが解除され、防水板１Ｃを引き上げることが可能となる。
【００５５】
また、このロック解除の操作がされる際には、図５（Ｂ）に示すように止水材６０が全体として大きく圧縮されているため、防水板１Ａを上方へと移動させる復元力Ｆ２（反力）が生じることになる。この際、特に弾性率の大きい第一止水材６１は大きな復元力を発揮することになり、止水材６０全体としての復元力Ｆ２に大きく寄与することになる。
【００５６】
そして、図５（Ａ）に示すように、係合部位４３を被係合部位１１ｂの側方へと移動させてロックを解除した後に、押し下げていた防水板１Ｃから手を放すと、止水材６０の復元力Ｆ２により防水板１Ｃが勢いよく上方へと押し戻される（図５（Ａ）の二点鎖線）。
【００５７】
そして、防水板１Ｃが上方へと押し戻されることにより、ロック機構４Ｒの係合部位４３が被係合部位１１ｂをかわして上方に移動される。これにより、ロック機構４Ｒの係合部位４３が再び係合部１０の被係合部位１１ｂに係合して再ロックがされることが防がれ、防水板１Ｃを引き上げる作業をスムーズに行うことができる。
【００５８】
また、以上に説明した実施例の構成とするほか、他の実施形態とすることも可能である。
例えば、図６（Ａ）に示すように、ロック機構４０Ａと係合させる係合部１０Ａについて、防水板１Ｃの上側角部１ｕの側面１ｈに、側面１ｈから突出する係合部材１２を設ける構成としてもよい。
【００５９】
この図６（Ａ）の構成では、ロック機構４０Ａは、ガイドレール５０Ｒの溝底部５２ｆに対して固定される固定片部４１ａと、固定片部４１ａの下端部から溝底部５２ｆと反対方向に斜め下方に伸びる係合部位４３ａとを有する構成とする。
【００６０】
また、防水板１Ｃ側の係合部１０Ａについては、防水板１Ｃを押し下げる際に係合部位４３ａを側方へと押圧するための傾斜面部１２ｂと、傾斜面部１２ｂが係合部位４３ａを通過した後に係合部位４３ａによって上から押さえ付けられる被係合部位１２ａと、を有する係合部材１２にて構成することができる。
【００６１】
また、図６（Ｂ）に示す別の実施形態では、防水板１Ｃの上側角部１ｕの上面１ｍをそのまま係合部１０Ｂとして機能させるものであり、ロック機構４０Ｂを上面１ｍに係合させる構成である。
【００６２】
この図６（Ｂ）の構成の場合、ロック機構４０Ｂは、ガイドレール５０Ｒの溝底部５２ｆに対して固定される固定片部４１ｂと、固定片部４１ｂの下端部から溝底部５２ｆと反対方向に斜め下方に伸びる係合部位４３ｂとを有する構成とする。なお、固定片部４１ｂと溝底部５２ｆの間にスペーサー部材５３を適宜設置してもよい。
【００６３】
以上のようにして本発明を実施することができる。
即ち、図１（Ａ）（Ｂ）、及び、図２（Ａ）〜（Ｅ）に示すように、
床面４７に立設させる矩形の防水板１Ａ，１Ｂ，１Ｃと、
防水板１Ａ，１Ｂ，１Ｃの横幅方向の端部が差し込まれる縦ガイド溝５２ａと、
縦ガイド溝５２ａに固定される少なくとも一つのロック機構４Ｒと、を有する防水装置２であって、
ロック機構４Ｒは、防水板１Ａ，１Ｂ，１Ｃの移動時に位置する退避位置と、防水板１Ａ，１Ｂ，１Ｃの設置完了後には防水板１Ｃの上方に位置する規制位置の、二位置に切替可能に構成されるものであり、
防水板１Ａ，１Ｂ，１Ｃが縦ガイド溝５２ａに差し込まれて下降する際には、防水板１Ａ，１Ｂ，１Ｃに押圧されて防水板１Ａ，１Ｂ，１Ｃの側方（本実施例では、縦ガイド溝５２ａの溝底部５２ｆ側）にずれることで防水板１Ａ，１Ｂ，１Ｃの下降を許容し、
防水板１Ｃの横幅方向の端部がロック機構４Ｒを通過し終わった際には、押圧された状態から復帰して防水板１Ｃの上方へと出現する構成とする、防水装置２とするものである。
【００６４】
これにより、防水板１Ｃの設置を容易に行えるとともに、防水板１Ｃの設置が完了した際にはロック機構４Ｒによるロックが自動的に完了し、防水板１Ｃを容易に引き抜くことができなくなり、防水板１Ｃの盗難リスクを低減できる。
【００６５】
また、図１（Ａ）（Ｂ）、及び、図５（Ａ）（Ｂ）に示すように、
防水板１Ａの下部には弾性部材からなる止水材６０であって、防水板１Ａと床面４７の間の隙間を埋めるための止水材６０が設けられ、
止水材６０の圧縮の際にロック機構４Ｒによるロック状態が解除されるものである。
また、防水板１Ａ，１Ｂ，１Ｃの設置が完了すると、止水材６０に生じる復元力Ｆ２により上方向の荷重が防水板１Ａ，１Ｂ，１Ｃに作用するとともに、係合部１０がロック機構４Ｒにより上から押さえ付けられてロックが完了し、防水板１Ａ，１Ｂ，１Ｃの設置が完了した状態で、防水板１Ａ，１Ｂ，１Ｃを更に下方に押し下げる力Ｆ１を加えると、止水材６０が圧縮して防水板１Ａ，１Ｂ，１Ｃが下方にずれることで、ロック機構４Ｒによるロックが解除される。
【００６６】
これにより、止水材６０による高い止水性が確保でき、また、防水板１Ａ，１Ｂ，１Ｃを押し下げるという簡易な操作でロックを解除することができる。
【００６７】
また、図２（Ｅ）に示すように、防水板１Ｃにはロック機構４Ｒに係合するための係合部１０は、上方に突出する被係合部位１１ｂを有し、ロック機構４Ｒは、被係合部位１１ｂに横方向から当接するための係合部位４３を有する、構成としている。
【００６８】
これにより、防水板１Ｃの横方向のズレが規制され、横方向に防水板１Ｃがずらされて引き抜かれることも防止できる。
【産業上の利用可能性】
【００６９】
本発明は、建物の出入口や、地下施設への地上出入口などに設置され、豪雨時に雨水などが出入口内に浸入するのを堰き止めるための防水板について、幅広く適用できる。
【符号の説明】
【００７０】
１Ａ    防水板
１Ｂ    防水板
１Ｃ    防水板
２    防水装置
４Ｒ    ロック機構
１０    係合部
４７    床面
５２ａ    縦ガイド溝
５２ｆ    溝底部
【図１】
0006384865.tif 000002
【図２】
0006384865.tif 000003
【図３】
0006384865.tif 000004
【図４】
0006384865.tif 000005
【図５】
0006384865.tif 000006
【図６】
0006384865.tif 000007